(57)【要約】【課題】  マッサージ開始時に、その都度使用者が足載台の角度を調整する操作を行う必要がなく、足載台の角度を使用者の身長に適した角度に変化させることができる椅子式マッサージ機を提供すること。【解決手段】  内部にマッサージ部８を有する背もたれ４と、座部３の前端側に上下に回動自在に設けられ、脚マッサージ部１８を有する足載台５とを備え、電動リクライニング機能を有するとともに、使用者７の座高を検知して身長を設定する身長設定機能とを備えた椅子式マッサージ機１であって、足載台５は、身長設定機能により設定された身長に対応して、マッサージ開始時における角度が変化するようにする。【選択図】図１
2005334164.tif 000002
【特許請求の範囲】
【請求項１】
内部にマッサージ部を有する背もたれと、
座部の前端側に上下に回動自在に設けられ、脚マッサージ部を有する足載台とを備え、
電動リクライニング機能を有するとともに、使用者の座高を検知して身長を設定する身長設定機能とを備えた椅子式マッサージ機であって、
前記足載台は、前記身長設定機能により設定された身長に対応して、マッサージ開始時における角度が変化するものであることを特徴とする椅子式マッサージ機。
【請求項２】
前回使用時における足載台の角度と背もたれのリクライニング角度を記憶する設定記憶手段を備え、
前記設定記憶手段により、前回使用時における足載台の角度と背もたれのリクライニング角度のどちらか一方又は両方の設定条件でマッサージを開始するものであることを特徴とする請求項１に記載の椅子式マッサージ機。
【発明の詳細な説明】
【技術分野】
【０００１】
本発明は、脚マッサージ部を有する足載台を備えた椅子式マッサージ機に関するものである。
【背景技術】
【０００２】
従来より、背もたれの内部にマッサージ部を備え、座部の前端側に上下に回動自在な足載台とを備えた椅子式マッサージ機が知られている（特許文献１）。このような椅子式マッサージ機においては、足載台にも脚マッサージ部が設けられており、また、椅子式マッサージ機全体を略１８０度リクライニングさせることができるようになっている。
【特許文献１】特開２００３−２１０２７０公報
【発明の開示】
【発明が解決しようとする課題】
【０００３】
しかしながら、上記特許文献１における椅子式マッサージ機においては、例えば、１台の椅子式マッサージ機を家族全員で使用する等、複数の使用者により使用されることがあり、これら複数の使用者の身長が異なる場合には、マッサージ開始時にその都度足載台の角度を調整する操作を必要としていた。このような操作は、わずらわしいばかりでなく、足載台の角度が適切でない場合には本来のマッサージ効果を十分に得ることができないといったおそれがあった。
【０００４】
本発明は、かかる事由に鑑みてなしたもので、その目的とするところは、マッサージ開始時に、その都度使用者が足載台の角度を調整する操作を行う必要がなく、足載台の角度を使用者の身長に適した角度に変化させることができる椅子式マッサージ機を提供することにある。
【課題を解決するための手段】
【０００５】
上記課題を解決するために、本発明では、第１には、内部にマッサージ部を有する背もたれと、座部の前端側に上下に回動自在に設けられ、脚マッサージ部を有する足載台とを備え、電動リクライニング機能を有するとともに、使用者の座高を検知して身長を設定する身長設定機能とを備えた椅子式マッサージ機であって、前記足載台は、前記身長設定機能により設定された身長に対応して、マッサージ開始時における角度が変化するようにする。
【０００６】
第２には、前回使用時における足載台の角度と背もたれのリクライニング角度を記憶する設定記憶手段を備え、前記設定記憶手段により、前回使用時における足載台の角度と背もたれのリクライニング角度のどちらか一方又は両方の設定条件でマッサージを開始するようにする。
【発明の効果】
【０００７】
上記本発明の第１の椅子式マッサージ機では、使用者の身長に対応して足載台の角度を適切な角度に変化させるので、脚部のマッサージを適切に実施することができる。
【０００８】
上記本発明の第２の椅子式マッサージ機では、上記第１の椅子式マッサージ機と同様の効果が得られ、また、前回使用時における足載台の角度と背もたれのリクライニング角度のどちらか一方又は両方の設定条件でマッサージを開始するので、使用者がその都度それらの角度を調整する必要がなくなり、スムーズにマッサージを実施することができる。
【発明を実施するための最良の形態】
【０００９】
本発明の実施形態における椅子式マッサージ機１について、図１〜５に基づいて説明する。本実施形態における椅子式マッサージ機１は、図１に示すように、ベース部２と、ベース部２の上面に配された座部３と、座部３の後端から立ち上がる電動リクライニング動作が自在な背もたれ４と、座部３の前端に上部後端側が回動自在に連結されて上下方向の回動が自在となっている足載台５と、座部３の両サイドの上方に配された肘掛け６とからなるもので、背もたれ４内には使用者７の背面や肩や首部分に対して機械的圧力を加えてマッサージを行うマッサージ部８が配設されている。また、座部３には使用者７の臀部や大腿部に対するマッサージ用の空気袋９が配設されている。また、足載台５はふくらはぎ部５ａと足先部５ｂからなり、使用者７の下肢部に対するマッサージ用の空気袋１０、１１からなる脚マッサージ部１８が配設されている。
【００１０】
そして座部３の下方側には、図２に示すように、足載台５を上下に回動駆動させるための駆動手段２０がベース部２に取り付けられて配設されている。図示例の駆動手段２０は、ねじ軸２１に螺合するナットをモータ２２で回転させることで、足載台５にリンク２３でつながったナット及びモータ２２のブロックをねじ軸の軸方向に移動させることで、足載台５をそのヒンジ部２４を中心に上下に回動させるものとなっている。ここで、足載台５が上下に回動する際、足先部５ｂは水平状態を維持するようにして、ふくらはぎ部５ａとともに上下に駆動するようになっている。
【００１１】
次に、本実施形態における椅子式マッサージ機１を用いて脚部のストレッチマッサージを行う場合の動作について説明する。まず、使用者７は座部３に着座し、足載台５に脚部を載せる。そして、操作部１２を用いてマッサージを開始するスイッチを入れることにより、マッサージを開始する。ここで、本実施形態における椅子式マッサージ機１は身長設定機能を備えており、マッサージ部８が上下に移動して使用者７の身長の設定を行うようになっている。ここで、マッサージ部８には圧力センサー（図示せず）が備えられており、圧力を検知しながら上下に移動していき、使用者７の首付近における圧力減少を検知することにより使用者７の座高を検知し、得られた座高から標準的な身長を設定するようになっているのである。なお、使用者７により操作部１２を用いて直接入力することにより身長を設定することも可能となっている。
【００１２】
そして、身長設定機能あるいは使用者７の直接入力により設定された身長に対応して、足載台５が上昇を開始し、予め設定された角度ａとなった時点で足載台５が上昇を停止する。本実施形態においては、この角度ａの値として、使用者７の身長が１７０ｃｍ未満の時は３５度、１７０ｃｍの時は４５度、１７０ｃｍよりも高い時は５５度となっている。ここで、角度ａは足載台５が床面１３に対して垂直の場合を０度とし、足載台５が上昇して水平になった場合を９０度としている。
【００１３】
ここで、使用者７の身長が高い場合には、図３に示すように、椅子式マッサージ機１に着座した状態において座部３の上面と大腿部との間や、ふくらはぎ部５ａふくらはぎとの間に空間が生じ、空気袋９や１０によるマッサージを十分に行うことができなくなる。逆に、使用者７の身長が低い場合には、図４に示すように、椅子式マッサージ機１に着座した状態において足先部５ｂの空気袋１１と足裏との間に空間が生じ、空気袋１１によるマッサージを十分に行うことができなくなる。このようなマッサージの不具合を防止して十分なマッサージ効果を得るために、足載台５の角度ａを使用者７の身長に合わせて変化させるのである。ここで、使用者７の身長が低い場合には、足載台５の角度ａを小さくし、使用者７の身長が高い場合には、足載台５の角度ａを大きくするのである。
【００１４】
続いて、足載台５が上記の通り所定の角度になると、足載台５に設けられた空気袋１０、１１へのエアの供給による下肢の拘束と、排気による下肢の開放、そして足載台５の上記モータ２２による回動とが、例えば次のように制御される。まず、座部３に配設された空気袋９を膨張させて座部３に座っている使用者７の臀部と大腿部とを拘束状態とする。次いで足載台５を上方側に回動させ、この状態で空気袋１０、１１を膨張させて下肢の拘束を行い、この拘束状態を維持したままで足載台５を下方へ回動させる。座部３における空気袋９と足載台５における空気袋１０、１１とで臀部及び下肢が拘束された状態で足載台５が回動する時、使用者７の脚は足載台５の回動に伴って引き伸ばされることになり、このためにストレッチマッサージを受けることができる。
【００１５】
その後、空気袋９、１０、及び１１が収縮して脚部の拘束が解放され、足載台５は開始時の角度に戻り、一連のマッサージ動作が終了する。以後は、使用者７が操作部１２を操作して設定を変更するか、又は所定時間が経過するまでこの動作を繰り返すようになっている。
【００１６】
なお、上記のマッサージ動作は一例に過ぎず、足載台５の回動と脚部の拘束とをどのような順序及び組み合わせで行うものであってもよい。
【００１７】
また、本実施形態における椅子式マッサージ機１は、図５に示すように、前回使用時における足載台５の角度と背もたれ４のリクライニング角度を記憶する設定記憶手段１４を備えており、この設定記憶手段１４により、前回使用時における足載台５の角度と背もたれ４のリクライニング角度のどちらか一方又は両方の条件でマッサージを開始するようになっている。
【００１８】
設定記憶手段１４は、内部メモリー１６を備えたＭＰＵ１５と外部メモリー１７からなり、使用者７による操作部１２からの入力信号により、内部メモリー１６又は外部メモリー１７に記憶されている前回使用時の設定条件を呼び出し、足載台５や背もたれ４に信号を発信して、それぞれ前回使用時における足載台５の角度と背もたれ４のリクライニング角度になるよう駆動させる。
【００１９】
なお、前回使用時の設定条件のみではなく、使用者７によってマッサージ中に随時好みの設定条件を記憶させることもできる。また、使用者７の身長に対して予め設定されている足載台５の角度については、使用者７によって適宜変更可能とすることもできる。また、外部メモリー１７は必ずしも必要とされるものではない。
【００２０】
以上のように本実施形態における椅子式マッサージ機１は、使用者７の身長に対応して足載台５の角度を適切な角度に変化させるので、脚部のマッサージを適切に実施することができる。
【００２１】
また、前回使用時における足載台５の角度と背もたれ４のリクライニング角度のどちらか一方又は両方の設定条件でマッサージを開始するので、使用者７がその都度それらの角度を調整する必要がなくなり、スムーズにマッサージを実施することができる。
【図面の簡単な説明】
【００２２】
【図１】本発明の実施形態における椅子式マッサージ機１の側面図である。
【図２】同実施形態における足載台５の回動機構の側面図である。
【図３】同実施形態における椅子式マッサージ機１に使用者７が着座した際の側面図である。
【図４】同実施形態における椅子式マッサージ機１に使用者７が着座した際の側面図である。
【図５】同実施形態における設定記憶手段１４を示すブロック図である。
【符号の説明】
【００２３】
１  椅子式マッサージ機
２  ベース部
３  座部
４  背もたれ
５  足載台
８  マッサージ部
１４  設定記憶手段
１８  脚マッサージ部
２０  駆動手段
【図１】
2005334164.tif 000003
【図２】
2005334164.tif 000004
【図３】
2005334164.tif 000005
【図４】
2005334164.tif 000006
【図５】
2005334164.tif 000007